(57)【要約】【課題】覆蓋それ自体に脱臭機能をもたせて脱臭塔を不要とし、メンテナンスも簡単に行うことができる脱臭覆蓋を提供する。【解決手段】中空内部５を有する覆蓋１に吸気部６と排気部７を形成し、脱臭剤１０ａを充填したチューブ１０を中空内部５に収容して、このチューブ１０で吸気部６と排気部７を連通すると共に、排気部７に排気ファン８を取付けた構成の脱臭覆蓋１とする。この覆蓋を処理槽１４に被せて排気ファン８を回すと、臭気が吸気部６から吸引されてチューブ１０内を排気部７に向かって移動し、その途中でチューブ１０内の脱臭剤１０ａと接触して脱臭され、排気部７から排気ファン８によって大気へ放出される。従って、処理槽１４の周辺に脱臭塔を建設して処理槽１４から脱臭塔までダクト管を配管する工事が一切不要となる。【選択図】  図３
2005066405.tif 000002
【特許請求の範囲】
【請求項１】
中空内部を有する覆蓋に吸気部と排気部を形成し、脱臭剤を充填したチューブを中空内部に収容して、このチューブで吸気部と排気部を連通すると共に、排気部に排気ファンを取付けたことを特徴とする脱臭覆蓋。
【請求項２】
覆蓋の上面に太陽電池モジュールを設置し、この太陽電池モジュールで発生した電力を用いて排気ファンのモータを駆動させるようにしたことを特徴とする請求項１に記載の脱臭覆蓋。
【請求項３】
覆蓋の上面に点検口を形成して、この点検口に蓋体を開閉自在に被せ、吸気部と排気部にチューブの端部を脱着自在に接続したことを特徴とする請求項１に記載の脱臭覆蓋。
【請求項４】
排気部に防水カバーを浮かせて取付けた請求項１に記載の脱臭覆蓋。
【発明の詳細な説明】
【０００１】
【発明の属する技術分野】
本発明は、下水処理施設等において各種の処理槽の開口に被着される脱臭覆蓋に関する。
【０００２】
【従来の技術】
周知のように、下水処理施設等においては、各種の処理槽の開口に覆蓋を被着して臭気の拡散等を防止している。そして、処理槽内で発生した臭気は、通常、ダクト管を通じて、処理槽の周辺に設置された脱臭塔へ導入し、この脱臭塔内に充填された活性炭等で臭気を吸着、除去した後、排気ファンで大気へ放出している（例えば特許文献１参照）。
【０００３】
【特許文献１】
特開平９−２６２６００号公報（第２頁、第１図）
【０００４】
【発明が解決しようとする課題】
しかしながら、従来のように脱臭塔で臭気を除去する場合は、脱臭塔を設置するためのスペースを処理槽の周辺に確保して脱臭塔を建設する必要があり、処理槽から脱臭塔へ臭気を送るダクト管の配管工事や、脱臭塔の排気ファンのモータへ給電するための配線工事も必要になるという問題があった。
【０００５】
また、脱臭塔内に充填されている活性炭等の活性が低下すると、活性炭を脱臭塔から取出し、賦活処理を行って再び脱臭塔へ戻したり、新しい活性炭等と交換して、良好な脱臭作用を維持できるようにメンテナンスを行う必要があるが、このメンテナンス作業が面倒であった。
【０００６】
本発明は上記の問題に対処すべくなされたもので、その目的とするところは、覆蓋それ自体に脱臭機能をもたせて脱臭塔を不要とし、メンテナンスも簡単に行うことができる脱臭覆蓋を提供することにある。
【０００７】
【課題を解決するための手段】
上記目的を達成するため、本発明に係る脱臭覆蓋は、中空内部を有する覆蓋に吸気部と排気部を形成し、脱臭剤を充填したチューブを中空内部に収容して、このチューブで吸気部と排気部を連通すると共に、排気部に排気ファンを取付けたことを特徴とするものである。ここに、チューブとは、脱臭剤を充填したカートリッジを着脱自在に複数連結してユニット化したものも包含する概念である。
【０００８】
この脱臭覆蓋を処理槽の開口に被着して排気ファンを回すと、処理槽内で発生した臭気が吸気部から吸引されてチューブ内を排気部に向かって移動し、その途中でチューブ内の脱臭剤と接触して脱臭され、排気部から排気ファンによって大気へ放出される。このように、覆蓋自体が脱臭機能を発揮するため、従来のように処理槽の周辺に脱臭塔の設置スペースを確保して脱臭塔を建設し、処理槽から脱臭塔までダクト管を配管する工事が一切不要となる。
【０００９】
本発明の脱臭覆蓋においては、覆蓋の上面に太陽電池モジュールを設置し、この太陽電池モジュールで発生した電力を用いて排気ファンのモータを駆動させる構成とすることが望ましい。
【００１０】
このような構成にすると、外部から排気ファンのモータに給電するための配線が不要になるため、覆蓋を開閉する際に配線が邪魔になるといった不都合は生じない。特に、太陽電池モジュールは、臭気の発生量が多くなる気温の高い良く晴れた日に発電量が多くなるので、脱臭覆蓋の排気ファンのモータ電源として有効である。
【００１１】
また、本発明の脱臭覆蓋においては、覆蓋の上面に点検口を形成して、この点検口に蓋体を開閉自在に被せ、吸気部と排気部にチューブの端部を脱着自在に接続した構成とすることが望ましい。
【００１２】
このような構成にすると、チューブ内に充填された脱臭剤の活性が低下したとき、蓋体を開いて点検口から手を入れ、吸気部及び排気部とチューブとの接続を外してチューブを取出し、新しい脱臭剤が充填されたチューブを点検口から中空内部へ挿入してチューブ両端を吸気部及び排気部に接続するだけの簡単な作業でチューブ交換を行うことができるため、メンテナンスが容易になる。その場合、チューブとして前述のカートリッジを着脱自在に複数連結してユニット化したものを使用すると、脱臭剤の活性が低下したときの交換作業をより一層容易に行うことができるようになる。
【００１３】
更に、本発明の脱臭覆蓋においては、排気部に防水カバーを浮かせて取付けた構成とすることが望ましい。
【００１４】
このような構成にすると、防水カバーによって排気部への雨水の侵入が阻止されるため、排気部の排気ファンやモータが雨水で濡れたり、雨水が排気部からチューブ内へ侵入する心配がなくなる。なお、防水カバーは排気部から浮かせて取付けられているので、排気に支障がでることはない。
【００１５】
【発明の実施の形態】
以下、図面を参照して本発明の具体的な実施形態を詳述する。
【００１６】
図１は本発明の一実施形態に係る脱臭覆蓋の使用状態を示す斜視図、図２は同脱臭覆蓋の平面図、図３は同脱臭覆蓋の使用状態における縦断面図である。
【００１７】
この脱臭覆蓋１はＦＲＰや合成樹脂から成るもので、図３に示すように、湾曲した天板２と、前後左右の側板３と、天板２にほぼ等しい曲率で湾曲した底板４とを備えており、内部５は中空になっている。そして、前後左右の側板３の下端には、図２，図３に示すように、フランジ部３ａが形成されている。
【００１８】
この中空内部５の一端側（図３では右端側）にはボックス状の吸気部６が形成され、この吸気部６の吸込み口６ａが底板４に開設されている。また、中空内部５の他端側（図３では左端側）にはボックス状の排気部７が形成され、この排気部７の排出筒７ａが天板２を貫通して取付けられている。この排出筒７ａの内側には排気ファン８が取付けられ、更に、排出筒７ａの上方には防水カバー９が取付けられている。この防水カバー９は、排出筒７ａの上端開口を閉塞しないように浮かせて取付けられている。
【００１９】
この覆蓋１の中空内部５には、図２、図３に示すように、脱臭剤１０ａを充填した可撓性のチューブ１０が２本平行に並んで収容されている。そして、各チューブ１０の両端がワンタッチ着脱式ジョイント１０ｂによって吸気部６と排気部７に着脱自在に接続されており、このチューブ１０を介して吸気部６と排気部７が連通している。脱臭剤１０ａとしては、吸着力が大きく安価に入手できる活性炭が好ましく使用されるが、その他の吸着能を有する脱臭剤も勿論使用可能である。
【００２０】
なお、チューブ１０は図３に示すような長尺のものを使用してもよいが、このチューブ１０の約１／２〜約１／３程度の長さのチューブ状カートリッジをワンタッチ着脱式ジョイントで２〜３本着脱自在に連結してユニット化したものを使用しても勿論よい。
【００２１】
図１，図２，図３に示すように、天板２の中央部には、太陽光を電気エネルギーに変換する半導体素子を並べてパッケージングした太陽電池モジュール１１が設置され、この太陽電池モジュール１１で発生した電力を用いて排気ファン８のモーター８ａを駆動できるように配線（不図示）されている。
【００２２】
また、この天板２の太陽電池モジュール１１の両側には二つの点検口１２が形成され、それぞれの点検口１２に蓋体１３が開閉自在に被せられている。
【００２３】
上記構成の脱臭覆蓋１は、図１、図３に示すように、処理槽１４の開口に並べて被せられ、左右の側板３のフランジ部３ａがアンカーボルトとナットで処理槽１４に固定される。そして、互いに隣接する覆蓋１の前後の側板３のフランジ部３ａは気密的に重ねられ、処理槽１４の端部に位置する覆蓋１の前側板３又は後側板３のフランジ部３ａはアンカーボルトとナットで処理槽１４に固定される。なお、図１に示すように処理槽１４の開口を全て脱臭覆蓋１で覆う必要はなく、脱臭機能を有しない普通の覆蓋と上記の脱臭覆蓋１を併用して処理槽１４の開口を覆うようにすれば十分である。
【００２４】
上記のように脱臭覆蓋１を処理槽１４の開口に被着し、太陽電池モジュール１１で発生した電力を用いて排気ファン８のモータ８ａを駆動させて排気ファン８を回すと、処理槽１４内で発生した臭気が覆蓋底板４の吸込み口６ａから吸気部６に吸引されてチューブ１０内を排気部７に向かって移動し、その途中でチューブ１０内の脱臭剤１０ａと接触して脱臭され、排気ファン８によって排気部７の排出筒７ａから大気へ放出される。従って、処理槽１４の周辺に脱臭塔の設置スペースを確保して脱臭塔を建設する必要がなくなり、処理槽１４から脱臭塔までダクト管を配管する必要もなくなる。
【００２５】
また、この脱臭覆蓋１のように太陽電池モジュール１１の電力を利用して排気ファン８のモータ８ａを駆動すると、外部から排気ファン８のモータ８ａに給電するための配線が一切不要となるため、覆蓋１を開閉する際に配線が邪魔になるといった不都合も生じない。特に、太陽電池モジュール１１は、臭気の発生量が多くなる日、つまり、気温の高い良く晴れた日に発電量が多くなるので、脱臭覆蓋１の排気ファン８のモータ８ａ電源としてきわめて有効である。
【００２６】
また、チューブ１０内に充填された脱臭剤１０ａの活性が低下したときには、双方の蓋体１３を開いて各点検口１２から手を入れ、チューブ１０両端のワンタッチ着脱ジョイント１０ｂの接続を外してチューブ１０を取出し、新しい脱臭剤が充填されたチューブを点検口１２から中空内部５へ挿入してチューブ両端のワンタッチ着脱ジョイントを吸気部６及び排気部７に接続するだけで、簡単にチューブ１０の交換を行うことができる。従って、この脱臭覆蓋１はメンテナンスも容易である。
【００２７】
また、この脱臭覆蓋１のように防水カバー９が排気部７の排出筒７ａの上方に取付けられていると、防水カバー９によって排気部７への雨水の侵入が阻止されるため、排気ファン８やモータ８ａが雨水で濡れたり、雨水が排気部７からチューブ１０内へ侵入する心配もなくなる。
【００２８】
【発明の効果】
以上の説明から明らかなように、本発明の脱臭覆蓋は、その上面に設置した太陽電池モジュールで発生する電力を利用して排気ファンを回し、吸気部から吸引した臭気をチューブ内の脱臭剤で脱臭して排気部から大気に放出できるので、従来の脱臭塔の建設工事や、ダクト管の配管工事や、配線工事が一切不要となり、また、チューブの交換作業も簡単に行えるので、メンテナンスも容易になるといった効果を奏する。
【図面の簡単な説明】
【図１】本発明の一実施形態に係る脱臭覆蓋の使用例を示す斜視図である。
【図２】同脱臭覆蓋の平面図である。
【図３】同脱臭覆蓋の使用状態における縦断面図である。
【符号の説明】
１  脱臭覆蓋
５  中空内部
６  吸気部
７  排気部
８  排気ファン
８ａ  排気ファンのモータ
９  防水カバー
１０  チューブ
１０ａ  脱臭剤
１０ｂ  ワンタッチ着脱式ジョイント
１１  太陽電池モジュール
１２  点検口
１３  蓋体
【図１】
2005066405.tif 000003
【図２】
2005066405.tif 000004
【図３】
2005066405.tif 000005